(57)【要約】【解決手段】少なくとも一部が透明或いは半透明な箱体Ｃ内に取り付けられたバリスタ素子Ｂに、所定の温度で変色する示温変色表示部材８を配設したサージ吸収器に関するものである。【効果】少なくとも一部が透明或いは半透明な箱体内に取り付けられたバリスタ素子に、所定の温度で変色する示温変色表示部材を配設したので、サージ吸収器の外から、示温変色表示部材の変色を目視にて確認することにより、バリスタ素子の損傷による寿命の確認を、容易に、且つ、迅速に行うことができるので、従って、サージ吸収器の保守点検の作業性が向上するとともに、サージ吸収器の交換作業の作業性が向上する。【選択図】図２
2004241543.tif 000002
【特許請求の範囲】
【請求項１】
少なくとも一部が透明或いは半透明な箱体内に取り付けられたバリスタ素子に、所定の温度で変色する示温変色表示部材を配設したことを特徴とするサージ吸収器。
【発明の詳細な説明】
【０００１】
【発明の属する技術分野】
本発明は、線路に印加された雷等のサージを吸収して、線路に接続された接続機器をサージから防護するサージ吸収器であって、特に、バリスタの異常加熱を感知して、変色し寿命を表示する寿命表示付きサージ吸収器に関するものである。
【０００２】
【従来の技術】
従来、バリスタ等のサージ吸収器として、水平部と垂直部とを有する略Ｌ字状の２個の端子の水平部を、２分割された絶縁ケースを接合して組立てられた箱体を挟んで左右反対側に導出させ、導出した２個の端子の水平部を、上下方向に段差状に配置するとともに、一対の絶縁ケースからなる箱体内にバリスタ素子等を取り付けたサージ吸収器が知られている（例えば、特開平８−１３８８２７号公報）。
【０００３】
【発明が解決しようとする課題】
上述した従来のサージ吸収器においては、線路の保守点検を定期的に実施しており、点検作業として、線路の電気路を遮断することなく、縦横に取り付けられた多数個のサージ吸収器を、線路から、１個１個、手作業で取り外して、点検用の測定機器等を用いて、所定の特性を所持しているかを測定し、その結果を判定し、再使用が可能な場合は、元の線路に戻して取り付ける。また、測定の結果、不具合と判断した場合には、他の新しい良品のサージ吸収器と取り替えて、順次、線路の保守点検作業を行って、線路の信頼の維持に努めている。
【０００４】
サージ吸収器は、サージ等が侵入する線路でサージの吸収を繰り返したりして老化をきたし、また、経年変化等でも老化をきたすこともあり、更に、大きいサージや小さいサージ電流の長時間の通電で、損傷を生じることもある。サージ吸収器が損傷したり老化したりして、機能を満たすことができない場合には、サージ等から、線路の接続機器を防護できないことになり、従って、速やかな交換を要することになる。このように、サージ吸収器の保守点検において、線路回線に配設された多数個のサージ吸収器を、１個１個、線路から取り外して点検し、再度、線路に取り付ける作業は、多大な時間と労力等を必要とするだけでなく、サージ吸収器を線路から取り外すことが、一時的とはいえ、サージの防護ができないことになる。
【０００５】
また、特に、サージ吸収器を、振動等する場所で使用する場合には、振動対策のために、サージ吸収器の取り付けが強固になり、従って、サージ吸収器の取り付けや取外しに、より多大な時間と労力等を必要とするという問題がある。
【０００６】
本発明の目的は、上述したような従来のサージ吸収器が有する課題を解決することにある。
【０００７】
【課題を解決するための手段】
本発明は、上述した目的を達成するために、サージ吸収器に、少なくとも一部が透明或いは半透明な箱体内に取り付けられたバリスタ素子に、所定の温度で変色する示温変色表示部材を配設したものである。
【０００８】
【実施例】
以下、本発明の実施例について説明するが、本発明の趣旨を越えない限り何ら、本実施例に限定されるものではない。
【０００９】
１は、透明或いは半透明の絶縁性樹脂で成形された箱型の絶縁ケースであり、一対の絶縁ケース１の端面１ａ，１ａ同士を接合することにより、１個の箱体Ｃが形成される。
【００１０】
箱型の絶縁ケース１は、奥壁１ｂと、上部内壁１ｃと、上部内壁１ｃと相対する下部内壁１ｄと、相対する垂直内壁１ｅとを有している。一方の垂直内壁１ｅ付近に位置する下部内壁１ｄには、一方の垂直内壁１ｅと所定の間隙ｄ１を置いて、下部突起２が立設されており、また、もう一方の垂直内壁１ｅ付近に位置する下部内壁１ｄには、所定に間隔ｄ２を置いて、一対の下部突起３ａ、３ｂが立設されている。また、上部内壁１ｃには、下部内壁１ｄに立設された下部突起２に対向するように、一方の垂直内壁１ｅと所定の間隙ｄ３を置いて、上部突起４が垂設されており、同じく、上部内壁１ｃには、下部内壁１ｄに立設された一対の下部突起３ａ、３ｂと対向するように、もう一方の垂直内壁１ｅと所定の間隙ｄ４を置いて、上部突起５が垂設されている。
【００１１】
絶縁ケース１の下部内壁１ｄ付近に位置する一方の垂直内壁１ｅには、端面１ａまで達する水平スリット１ｆが形成されており、また、絶縁ケース１の上部内壁１ｃ付近に位置するもう一方の垂直内壁１ｅには、端面１ａまで達する水平スリット１ｇが形成されている。また、絶縁ケース１には、奥壁１ｂの一部を外側に膨出させて形成された拡幅部１ｈが形成されており、拡幅部１ｈには、接合された２つの絶縁ケース１の奥壁１ｂの幅より大きい電気部品を、２つの絶縁ケース１を接合することによって組み立てられた箱体Ｃ内に配設するために、絶縁ケース１の一部を拡幅したものであり、本発明においては、拡幅部１ｈには、後述するバリスタ素子の側部の一部が収容されるように構成されている。
【００１２】
６は、金属製の板材を、略Ｌ字状に屈曲することにより形成された、垂直部６ａと水平部６ｂとからなる一方の端子であり、端子６の水平部６ｂの端部付近には、取り付け孔６ｃが穿設されており、また、端子６の垂直部６ａの下端付近には、後述するバリスタ素子を接続するための接続孔６ｄが穿設されている。
【００１３】
７は、金属製の板材を、略Ｌ字状に屈曲することにより形成された、水平部７ａと、方形状の開口７ｂ１が形成された額縁状の垂直部７ｂとを有するもう一方の端子であり、水平部７ａの端部付近には、取り付け孔７ｃが穿設されている。垂直部７ｂの下部水平部７ｂ２の中央部には、垂直部７ｂを挟んで、水平部７ａと反対方向に、且つ、水平方向に延在する接続枠７ｄが連接されており、接続枠７ｄの先端付近には、バリスタ素子を接続するための接続孔７ｅが穿設されている。
【００１４】
Ｂは、非直線抵抗を有するバリスタ素子であり、バリスタ素子Ｂには、リード線ｂ１，ｂ２が導出されており、バリスタ素子Ｂの表面ｂ３には、耐絶縁、耐湿度等の絶縁コーテングが施されている。８は、バリスタ素子Ｂの表面ｂ３に取り付けられた非可逆性の示温変色表示部材であり、非可逆性の示温変色表示部材８は、バリスタ素子Ｂのバリスタの異常発熱を感知して変色し、バリスタの寿命を表示する機能を有するものであり、一旦、変色すると、２度と、元の色に戻ることはない。
【００１５】
例えば、所定の温度（７０±２度）を感知する示温変色表示部材８を、バリスタ素子Ｂの表面ｂ３の適当箇所に、１個以上取り付け、バリスタ素子Ｂに印加されたサージの異常電流によるバリスタ素子Ｂの発熱や、バリスタ素子Ｂの漏れ電流による発熱等により、示温変色表示部材８が、所定の温度以上に達した場合に、示温変色表示部材８が変色するように構成されている。
【００１６】
次に、上述した絶縁ケース１やバリスタ素子Ｂ等のサージ吸収器への組み立てについて説明する。
【００１７】
一対の絶縁ケース１のうち、一方の絶縁ケース１の一方の垂直内壁１ｅに形成された水平スリット１ｆに、端子７の水平部７ａを挿入するとともに、垂直部７ｂの下端部を、一方の垂直内壁１ｅと下部内壁１ｄに立設された下部突起２とにより形成された間隙ｄ１に挿入し、更に、垂直部７ｂの上端部を、一方の垂直内壁１ｅと上部内壁１ｃに立設された上部突起４とにより形成された間隙ｄ３に挿入することにより、端子７を、一方の絶縁ケース１に取り付ける。また、一方の絶縁ケース１のもう一方の垂直内壁１ｅに形成された水平スリット１ｇに、端子６の水平部６ｂを挿入するとともに、端子６の垂直部６ａの下端部を、下部内壁１ｄに立設された一対の下部突起３ａ、３ｂの間隔ｄ２に挿入し、更に、端子６の折り曲げ部６ｅ付近を、もう一方の垂直内壁１ｅと上部内壁１ｃに垂下された上部突起５とにより形成された間隙ｄ４に挿入することにより、端子６を、一方の絶縁ケース１に取り付ける。
【００１８】
次に、一方の絶縁ケース１に取り付けられた端子６と端子７と間に、表面ｂ３に１個以上の示温変色表示部材８が取り付けられたバリスタ素子Ｂを、バリスタ素子Ｂの一方の側部ｂ４が、絶縁ケース１の拡幅部１ｈに挿入されるように配置する。その後、バリスタ素子Ｂの一方のリード線ｂ１を、端子７の接続枠７ｄに穿設された接続孔７ｅにハンダ付けして接続するとともに、バリスタ素子Ｂのもう一方のリード線ｂ２を、端子６の垂直部６ａに穿設された接続孔６ｄに、同じく、ハンダ付けして接続する。
【００１９】
次いで、一方の絶縁ケース１に配設された端子６、端子７及び示温変色表示部材８が取り付けられたバリスタ素子Ｂを、同じようにして、もう一方の絶縁ケース１に配設するとともに、一対の絶縁ケース１の端面１ａ，１ａ同士を、超音波溶着や接着剤等で接着して、サージ吸収器を構成する。上述したように、透明或いは半透明の絶縁性樹脂で成形された絶縁ケースからなる箱体Ｃは、当然のことながら、透明或いは半透明により構成されているとともに、箱体Ｃ内に配設された端子７を構成する垂直部７ｂには、開口７ｂ１が形成されているので、開口７ｂ１を通して、示温変色表示部材８の発色状態を目視することができる。また、端子６の垂直部６ａにも、示温変色表示部材８の発色状態を目視することが可能な同様の開口を形成することもできる。このように、端子７を構成する垂直部７ｂに、開口７ｂ１を形成するとともに、端子６の垂直部６ａにも、同様の開口を形成することにより、箱体Ｃの両側面から、示温変色表示部材８の発色状態を目視することができる。
【００２０】
上述したように、透明或いは半透明の絶縁性樹脂で成形された一対の絶縁ケース１の端面１ａ同士を接合することにより形成されたサージ吸収器に内蔵されるバリスタ素子Ｂに、所定の温度以上により変色する示温変色表示部材８を配設したので、示温変色表示部材８の発色により、バリスタ素子Ｂの損傷、即ち、寿命を、目視にて確認できるので、従来のように、サージ吸収器を、線路から、１個１個、手作業で取り外して、点検用の測定機器等を用いて、所定の特性を所持しているかどうかを測定することなく、容易に、且つ、迅速に、サージ吸収器の取り替え時期を判断することができる。
【００２１】
なお、上述した実施例には、絶縁ケース１を、透明或いは半透明の絶縁性樹脂で成形した例が示されているが、バリスタ素子Ｂに配設された示温変色表示部材８付近の絶縁ケース１のみを、透明或いは半透明とすることもできる。
【００２２】
上述した示温変色表示部材８は、所定の融点を有し、一度、所定の融点に達して変色すると、変色を維持し色変化は生じない。また、示温変色表示部材８は、ラベル状のものを貼付してもよく、或いは、塗料状のものを塗布してもよい。
【００２３】
【発明の効果】
本発明は、上述したように構成されているので、以下に記載する効果を奏することができる。
【００２４】
少なくとも一部が透明或いは半透明な箱体内に取り付けられたバリスタ素子に、所定の温度で変色する示温変色表示部材を配設したので、サージ吸収器の外から、示温変色表示部材の変色を目視にて確認することにより、バリスタ素子の損傷による寿命の確認を、容易に、且つ、迅速に行うことができるので、従って、サージ吸収器の保守点検の作業性が向上するとともに、サージ吸収器の交換作業の作業性が向上する。
【図面の簡単な説明】
【図１】図１は、本発明のサージ吸収器の斜視図である。
【図２】図２は、端子等が配設された状態の本発明のサージ吸収器を構成する絶縁ケースの側面図である。
【図３】図３は、図２のＩ−Ｉ線に沿ったサージ吸収器の断面図である。
【図４】図４は、本発明のサージ吸収器を構成する一方の端子の斜視図である。
【図５】図５は、本発明のサージ吸収器を構成するもう一方の端子の斜視図である。
【図６】図６は、本発明のサージ吸収器を構成するバリスタ素子の正面図である。
【符号の説明】
Ｂ・・・・・・・・・・・バリスタ素子
Ｃ・・・・・・・・・・・箱体
１・・・・・・・・・・・絶縁ケース
６，７・・・・・・・・・端子
８・・・・・・・・・・・示温変色表示部材
【図１】
2004241543.tif 000003
【図２】
2004241543.tif 000004
【図３】
2004241543.tif 000005
【図４】
2004241543.tif 000006
【図５】
2004241543.tif 000007
【図６】
2004241543.tif 000008